(57)【要約】【課題】本発明は、分電盤に簡単に電力計測・監視用の機器が取り付けられる端子アダプタ３を提供することを目的としている。【解決手段】本発明に係る端子アダプタ３は、分電盤に配置されているブレーカに取り付け可能であり、テーパー状に固定部を形成し断面略コ字状である固定体４と、固定体４の固定部に固定される導体とで構成し、端子２に接続される電線７間のスペースを確保することで、既設の分電盤でも電力計測・監視用の機器の取り付け作業をしやすくすることを特徴とする。【選択図】図１
2009141998.tif 000002
【特許請求の範囲】
【請求項１】
キャビネットにブレーカを配列し、該ブレーカの負荷側端子に電力の測定・監視を行うための機器を接続して成る分電盤の、前記ブレーカの端子部に取り付け可能である端子アダプタであって、該アダプタは、テーパー状に固定部を形成し断面略コ字状である固定体と、該固定体の固定部に固定される導体とで構成されることを特徴とする端子アダプタ。
【発明の詳細な説明】
【技術分野】
【０００１】
本発明は、キャビネットにブレーカを配列し、ブレーカの負荷側端子に電力の測定・監視を行うための機器を接続して成る分電盤の、ブレーカの端子部に取り付け可能である端子アダプタに関するものである。
【背景技術】
【０００２】
図７に分電盤のおおまかな構成を示す。キャビネット３２にブレーカ３３，３４を配列し、分電盤３１を構成する。近年の環境活動の高まり等から、電力量を軽減する目的で、分電盤３１内で測定や監視を行うことが増えつつある。電線にクランプや分割型ＣＴを取り付けることにより、電力の測定や監視を行う。
【０００３】
分電盤３１は、ブレーカ３３，３４間は導電バー３６等の導体で接続される。ブレーカ３３の負荷側端子３７には電線３５が接続され、負荷機器へ配線されている。電線３５類はキャビネット３２内で結束されたり、柱等に支持させたりすることが多いので、クランプや分割型ＣＴを取り付けるためには、その結束された電線３５を束から外し、計測する電線３５を取り出し、クランプや分割型ＣＴを取り付けた後、電線３５を元に戻していた。
【特許文献１】特開２００２−１０４７０号公報
【発明の開示】
【発明が解決しようとする課題】
【０００４】
しかしながら、上記の方法で電力の計測・監視するための機器を取り付けた場合、電線のサイズが小さいものであれば、手で引っ張ったり、押し込んだりすることが可能であるが、サイズが大きくなると、電線の移動は困難で、キャビネット内に収納させるため、電線を引っ張ったり押し込んだりすることが難しく、電力監視用の機器取り付けはかなりの作業量となっていた。
【課題を解決するための手段】
【０００５】
そこで本発明は、電力計測・監視用の機器の取り付け作業を簡単に行える端子アダプタを提供することを目的とし、その構造は、アダプタは、テーパー状に固定部を形成し断面略コ字状である固定体と、固定体の固定部に固定される導体とで構成されることを特徴とする。
【発明の効果】
【０００６】
本発明に係る端子アダプタは、テーパー状に固定部を形成し断面略コ字状である固定体と、固定体の固定部に固定される導体とで構成されるため、各相に接続される電線を段違いに支持可能であり、電力計測・監視用の機器が取り付けやすくなる。また、絶縁体は上下反転させて使用することで、電線を段違いに支持するための部品を共用することができ、部品点数を抑えることができる。端子一つに対応でき、必要に応じて取り付けが可能であるため、安価に盤を構成することができる。
【発明を実施するための最良の形態】
【０００７】
本発明に係る端子アダプタを図１〜図７の添付図面に基いて説明する。
【０００８】
図７にはおおまかな分電盤の構成を示している。分電盤３１は、キャビネット３２に主幹ブレーカ３３や分岐ブレーカ３４を配列し、これらのブレーカ間は電線３５や導電バー３６等により接続されている。分岐ブレーカ３４の負荷側端子３５には負荷機器へ配線される電線３５が接続されている。
【０００９】
近年環境活動の高まりから、電力量の削減を目的とし計測・監視をする機会が増えてきている。既存の分電盤３１に、電力量の計測・監視をするためのクランプや分割型ＣＴといった機器を取り付けることがある。このとき、分岐ブレーカ３４から負荷機器へ配線された電線３５に機器を取り付けるが、分岐ブレーカ３４の負荷側端子３７は、各相同じ高さに並列していることもあり、この電線３５を取り出し移動させることに大変な手間がかかっていた。
【００１０】
本発明では、分岐ブレーカ１の各相の負荷側端子２にそれぞれ個別に取り付け可能である端子アダプタ３を提供する。端子アダプタ３は、固定体４と導体５とで構成される。固定体４は、断面略コ字状の絶縁体であり、テーパー状に固定部６を形成している。固定部６には、電線７を固定するための固定穴８を設ける。固定体４の、分岐ブレーカ１の端子側には導体挿通孔９を設ける。
【００１１】
導体５は、端子固定部１０と固定体固定部１１とを折曲形成し、それぞれに端子接続穴１２とねじ挿通孔１３を形成している。導体５の折曲角度は、分岐ブレーカ１の負荷側端子２と固定体４の固定部６に対向する形状とする。
【００１２】
図３〜図５に基いて、端子アダプタ３の取り付け動作を説明する。分岐ブレーカ１の負荷側端子２は、各相同じ高さに並列している。第一相の端子２ａには、直接電線７を取り付ける。第二相と第三相の端子２ｂ，２ｃには、端子アダプタ３を介して電線７を接続する。第二相の端子２ｂには、端子アダプタ３の固定部６が端子側の方が高くなるように取り付ける。導体５を端子アダプタ３の固定部６に対向させ、導体挿通孔９に差し込んで分岐ブレーカ１の端子２ｂに端子ねじ１３で接続する。また、導体５は固定部でも固定ねじにより固定される。第三相の端子２ｃには、第二相の端子２ｂに取り付けた端子アダプタ３とは上下反転させて、端子アダプタ３の固定部６が端子側の方が低くなるように取り付ける。導体５を端子アダプタ３の固定部６に対向させ、導体挿通孔９に差し込んで分岐ブレーカ１の端子２ｃに端子ねじ１４で接続する。また、導体５は固定部６でも固定ねじ１５により固定される。以上のように、端子アダプタ３を用いて分岐ブレーカ１へ電線７を接続し、隣り合う電線７の高さを段違いにし、電線７間のスペースを広くする。既設の分電盤に、クランプや分割型ＣＴ等の機器を取り付ける場合に、電線７間のスペースが広く確保できているので、取り付け作業がしやすくなる。
【００１３】
どの相の端子２に端子アダプタ３を取り付けるか、端子アダプタ３をどちら向きに取り付けるかは、図面に示したものに限定されるものではなく、隣り合う端子に電線を段違いに接続し、電線間のスペースが確保できれば良いものとする。
【００１４】
固定体４は、上下反転させても分岐ブレーカ１の端子２に取り付け可能である。上下反転させると、固定部６の傾斜方向が逆となる。つまり、手前に向かって下らせることと、奥行きに向かって下らせることの二つの傾斜角度を同じ部品で作ることができる。
【００１５】
端子アダプタ３の固定部６は、絶縁体で構成することにより、固定部６に固定される導体５が絶縁物で覆われることになり、端子アダプタ３を隣り合わせで取り付けた場合にも、十分に絶縁距離を保持することができる。
【００１６】
ブレーカ１の端子２に接続された電線を高い位置で保持する場合には、電線保持具１６を取り付け、この電線保持具１６上に電線を保持させる。
【００１７】
端子アダプタ３は、端子一つ用であり、単独でブレーカ１の端子２に使用する。小型に形成し、省スペースに端子アダプタ３を取り付けることを可能とする。
【図面の簡単な説明】
【００１８】
【図１】端子アダプタを用いた電線の接続を示す正面図である。
【図２】図２におけるＡ−Ａ’側面図である。
【図３】図２におけるＢ−Ｂ’側面図である。
【図４】図２における第三相側から見た側面図である。
【図５】端子アダプタを示す斜視図である。
【図６】端子アダプタを示す斜視図である。
【図７】分電盤の構成を示す説明図である。
【符号の説明】
【００１９】
１    分岐ブレーカ
２    端子
２ａ  第一相の端子
２ｂ  第二相の端子
２ｃ  第三相の端子
３    端子アダプタ
４    固定体
５    導体
６    固定部
７    電線
８    固定穴
９    導体挿通孔
１０  端子固定部
１１  固定体固定部
１２  ねじ挿通孔
１３  端子ねじ
１４  固定ねじ
１５  電線保持具
【図１】
2009141998.tif 000003
【図２】
2009141998.tif 000004
【図３】
2009141998.tif 000005
【図４】
2009141998.tif 000006
【図５】
2009141998.tif 000007
【図６】
2009141998.tif 000008
【図７】
2009141998.tif 000009